(57)【要約】【課題】被収納物を分別した状態で各別に収納室に収納し、必要時に所望の被収納物を該収納室から取り出すことができるだけでなく、更に進んで、被収納物を収納室から取り出す際及び被収納物を収納室に収納する際に、使用者にゲームの面白さを与えるようにした分別収納箱を提供する。【解決手段】上端を開口した箱本体１内には上端を開口した多数の収納室を形成し、各収納室の開口上端には可動蓋９を水平方向に移動自在に載置し、該箱本体の上縁には可動蓋の出入り口１１を設け、該箱本体には押え蓋１３を開閉自在に取り付け、該押え蓋には該箱本体を上下反転させたときに各可動蓋の脱落を防止するための脱落防止手段１７と所望の収納室の可動蓋を除去したときに該収納室内の被収納物を通過させる透孔２１とを備えさせたことを特徴とする分別収納箱。【選択図】図１
2008173149.tif 000002
【特許請求の範囲】
【請求項１】
上端を開口した箱本体内には上端を開口した多数の収納室を形成し、各収納室の開口上端には可動蓋を水平方向に移動自在に載置し、該箱本体の上縁には可動蓋の出入り口を設け、該箱本体には押え蓋を開閉自在に取り付け、該押え蓋には該箱本体を上下反転させたときに各可動蓋の脱落を防止するための脱落防止手段と所望の収納室の可動蓋を除去したときに該収納室内の被収納物を通過させる透孔とを備えさせたことを特徴とする分別収納箱。
【請求項２】
上端を開口した箱本体内には上端を開口した多数の収納室を形成し、各収納室の開口上端には可動蓋を水平方向に移動自在、かつ、上下方向に移動不能に配設し、該箱本体の上縁には可動蓋の出入り口を設けたことを特徴とする分別収納箱。
【請求項３】
前記各可動蓋を水平方向に移動自在、かつ、上下方向に移動不能となすために、各可動蓋の縁部に突条を形成し、各収納室の開口上端には該突条に対応する係止溝を備えさせたことを特徴とする請求項２に記載の分別収納箱。
【請求項４】
前記各可動蓋を水平方向に移動自在、かつ、上下方向に移動不能となすために、各可動蓋の縁部に係止溝を形成し、各収納室の開口上端には該係止溝に対応する突条を備えさせたことを特徴とする請求項２に記載の分別収納箱。
【請求項５】
前記可動蓋の出入り口には、該出入り口を開閉する開閉蓋を備えさせたことを特徴とする請求項１〜４のいずれかに記載の分別収納箱。
【請求項６】
前記箱本体の底部は透明であることを特徴とする請求項１〜５のいずれかに記載の分別収納箱。
【請求項７】
前記箱本体の底部は開閉自在であることを特徴とする請求項１〜６のいずれかに記載の分別収納箱。
【請求項８】
前記各可動蓋には図形、文字又は記号を表示したことを特徴とする請求項１〜７のいずれかに記載の分別収納箱。
【請求項９】
前記各可動蓋は平面正方形状をなしていることを特徴とする請求項１〜８のいずれかに記載の分別収納箱。
【発明の詳細な説明】
【技術分野】
【０００１】
本発明は、分別収納箱に関するものであり、更に詳しくは、多数の収納室を備え、薬等の被収納物を分別した状態で各別に収納室に収納し、必要時に所望の収納室を開蓋して被収納物を取り出すことができるようにした分別収納箱に係るものである。
【背景技術】
【０００２】
分別収納箱としては、例えば実開平６−１５５２１号公報に示すように、多数の収納室を備え、宝石等の被収納物を分別した状態で各別に収納室に収納し、必要時に所望の被収納物を該収納室から取り出すことができるようにした宝石箱が従来より知られている。
【特許文献１】実開平６−１５５２１号公報
【発明の開示】
【発明が解決しようとする課題】
【０００３】
上記従来の宝石箱は、宝石、アクセサリー等の収納手段として好ましく用いられているものであるが、本発明は、単に、被収納物を分別した状態で各別に収納室に収納し、必要時に所望の被収納物を該収納室から取り出すことができるだけでなく、更に進んで、被収納物を収納室から取り出す際及び被収納物を収納室に収納する際に、使用者にゲームの面白さを与えるようにした分別収納箱を提供しようとしてなされたものである。
【課題を解決するための手段】
【０００４】
上記課題を解決するために、本発明は、下記の分別収納箱を提供する。
【０００５】
（１）上端を開口した箱本体内には上端を開口した多数の収納室を形成し、各収納室の開口上端には可動蓋を水平方向に移動自在に載置し、該箱本体の上縁には可動蓋の出入り口を設け、該箱本体には押え蓋を開閉自在に取り付け、該押え蓋には該箱本体を上下反転させたときに各可動蓋の脱落を防止するための脱落防止手段と所望の収納室の可動蓋を除去したときに該収納室内の被収納物を通過させる透孔とを備えさせたことを特徴とする分別収納箱（請求項１）。
【０００６】
（２）上端を開口した箱本体内には上端を開口した多数の収納室を形成し、各収納室の開口上端には可動蓋を水平方向に移動自在、かつ、上下方向に移動不能に配設し、該箱本体の上縁には可動蓋の出入り口を設けたことを特徴とする分別収納箱（請求項２）。
【０００７】
（３）前記各可動蓋を水平方向に移動自在、かつ、上下方向に移動不能となすために、各可動蓋の縁部に突条を形成し、各収納室の開口上端には該突条に対応する係止溝を備えさせる（請求項３）。
【０００８】
（４）前記各可動蓋を水平方向に移動自在、かつ、上下方向に移動不能となすために、各可動蓋の縁部に係止溝を形成し、各収納室の開口上端には該係止溝に対応する突条を備えさせる（請求項４）。
【０００９】
（５）前記可動蓋の出入り口には、該出入り口を開閉する開閉蓋を備えさせる（請求項５）。
【００１０】
（６）前記箱本体の底部は透明である（請求項６）。
【００１１】
（７）前記箱本体の底部は開閉自在である（請求項７）。
【００１２】
（８）前記各可動蓋には図形、文字又は記号を表示する（請求項８）。
【００１３】
（９）前記各可動蓋は平面正方形状をなす（請求項９）。
【発明の効果】
【００１４】
[請求項１の発明]
分別収納箱は、下記に説明するように、使用者にゲームの面白さを与える。
【００１５】
被収納物を所望の収納室から取り出し、又は被収納物を所望の収納室に収納するために、該収納室の可動蓋を取り外す際には、可動蓋の出入り口に近接する収納室上の一枚の可動蓋を該出入り口より箱本体の外方へ取り外した後、当該可動蓋に隣接していたいずれか一枚の可動蓋を水平方向に移動させて可動蓋のない当該収納室上に移し、以後同様にして、可動蓋を一枚ずつ水平方向に移動させて可動蓋のない隣の収納室上に移すという動作を繰り返し、所望の収納室の可動蓋を隣接する収納室上に移す。以上の動作は、押え蓋を箱本体上に閉じた状態（図１の実線参照。）で行ってもよいが、押え蓋を箱本体から開いた状態（図１の鎖線参照。）で行ってもよい。
【００１６】
しかる後、押え蓋が箱本体から開いているときには該押え蓋を閉じた状態で、箱本体を上下反転させることにより、可動蓋のない所望の収納室内の被収納物を押え蓋の透孔を通して落下させる。このとき、各収納室上の可動蓋は、押え蓋の落下防止手段により落下が防止される。
【００１７】
なお、箱本体を上下反転させることなく、所望の収納室内の被収納物を押え蓋の透孔より手の指等で取り出してもよい。
【００１８】
以上の如く、被収納物を所望の収納室から取り出し、又は被収納物を所望の収納室に収納する際には、使用者が予め考えた方針に従って多数の可動蓋を一枚ずつ水平方向に動かすことが要求されるため、使用者はこの作業をゲームとして楽しむことができる。
【００１９】
従って、例えば入院患者或いは高齢者等が毎日服用する数種類の薬を分別した状態で格別に収納室に収納しておけば、薬を服用する度に上記のゲームを楽しむことができる。
【００２０】
[請求項２の発明]
請求項２の分別収納箱は、可動蓋が上下方向に移動不能であるため押え蓋を備えていないという点で前記請求項１の分別収納箱と相違するが、その他の点においては前記請求項１の分別収納箱と同じであり、前記請求項１の分別収納箱と同じ効果を発揮する。
【００２１】
[請求項３の発明]
可動蓋の突条を収納室の開口上端に備えさせた係止溝に摺嵌させることにより、可動蓋は水平方向に移動自在、かつ、上下方向に移動不能となる。
【００２２】
[請求項４の発明]
可動蓋の係止溝を収納室の開口上端に備えさせた突条に摺嵌させることにより、可動蓋は水平方向に移動自在、かつ、上下方向に移動不能となる。
【００２３】
[請求項５の発明]
可動蓋の出入り口より可動蓋を出し入れするとき以外は、出入り口を開閉蓋により閉じておくことにより、分別収納箱の使用時等に可動蓋が出入り口より不意に脱出することが防止される。
【００２４】
[請求項６の発明]
箱本体の底部は透明であるため、各収納室内の被収納物の残量を目視により確認することができる。
【００２５】
[請求項７の発明]
箱本体の底部を開閉することにより、各収納室に対する被収納物の出し入れを容易に行うことができる。
【００２６】
[請求項８の発明]
各可動蓋には図形、文字又は記号を表示したため、使用者はその工夫により種々のゲームを楽しむことができる。図１１参照。
【００２７】
[請求項９の発明]
各可動蓋は平面正方形状をなすため、各可動蓋を各収納室上にて水平方向に角度を９０度、１８０度又は２７０度変えることができる。従って、使用者はより複雑、かつ、多岐にわたるゲームを楽しむことができる。
【発明を実施するための最良の形態】
【００２８】
符号１に示すものは、分別収納箱の箱本体である。箱本体１は、上端を開口する。
【００２９】
上端を開口した箱本体１内には上端を開口した多数の収納室３、３・・・を形成する。
【００３０】
これらの収納室３、３・・・は、一例として、箱本体１内に隔壁５を立設することにより形成する。
【００３１】
各収納室３の開口上端７には可動蓋９を水平方向に移動自在に載置する。可動蓋９は、相互に密接した状態で配設する。
【００３２】
各可動蓋９は、好ましくは、平面正方形状をなす。すなわち、各可動蓋９は、各収納室３上にて水平方向に角度を９０度、１８０度又は２７０度変えることができる。また、各可動蓋９は上下反転（表裏反転）させることもできる。図１３参照。
【００３３】
箱本体１の上縁には可動蓋９の出入り口１１を設ける。可動蓋９の出入り口１１に近接する収納室３上の一枚の可動蓋９を該出入り口１１より箱本体１の外方へ取り外すことにより、他の各可動蓋９を順次水平方向に移動させることが可能となる。
【００３４】
箱本体１には押え蓋１３を開閉自在に取り付ける。押え蓋１３は、一例として、図１に示すように、ヒンジ１５を介して箱本体１の一上縁に取り付ける。
【００３５】
押え蓋１３には、箱本体１を上下反転させたときに各可動蓋９の脱落を防止するための脱落防止手段１７と所望の収納室３の可動蓋９を除去したときに該収納室３内の被収納物１９を通過させる透孔２１とを備えさせる。
【００３６】
図示の脱落防止手段１７は、押え蓋１３に備えさせた細長板状体である。
【００３７】
図８〜図１０に示す事例においては、箱本体１は押え蓋１３を備えていない。この事例においては、各収納室３の開口上端７に配設した可動蓋９は、上下方向に移動不能であるため、押え蓋１３を必要としないが、その他の点においては、この事例は前述の事例と同じである。
【００３８】
すなわち、図８〜図１０に示す事例においては、上端を開口した箱本体１内には上端を開口した多数の収納室３、３・・・を形成し、各収納室３の開口上端７には可動蓋９を水平方向に移動自在、かつ、上下方向に移動不能に配設し、該箱本体１の上縁には可動蓋９の出入り口１１を設けている。
【００３９】
前記各可動蓋９を水平方向に移動自在、かつ、上下方向に移動不能となすために、例えば、各可動蓋９の縁部に突条２３を形成し、各収納室３の開口上端７には該突条２３に対応する係止溝２５を備えさせる。この事例においては、各可動蓋９の突条２３を各収納室３の係止溝２５に摺嵌する・
【００４０】
また、前記各可動蓋９を水平方向に移動自在、かつ、上下方向に移動不能となすために、各可動蓋９の縁部に係止溝２７を形成し、各収納室３の開口上端７には該係止溝２７に対応する突条２９を備えさせてもよい。この事例においては、各可動蓋９の係止溝２７を各収納室３の突条２９に摺嵌する。
【００４１】
図１０においては、各可動蓋９の縁部に突条２３と係止溝２７とを形成し、各収納室３の開口上端７には係止溝２５と突条２９とを備えさせ、各可動蓋９の突条２３と係止溝２７とを各収納室３の係止溝２５と突条２９とにそれぞれ摺嵌している。
【００４２】
前記可動蓋９の出入り口１１には、該出入り口１１を開閉する開閉蓋３１を備えさせる。
【００４３】
開閉蓋３１は、一例として、出入り口１１を塞ぐ閉塞体３３をヒンジ３５を介して出入り口１１に対し開閉自在になるように箱本体１に取り付ける。
【００４４】
箱本体１の底部３７は、好ましくは、透明である。すなわち、箱本体１の底部３７は、好ましくは、透明の合成樹脂又はガラスにより形成する。
【００４５】
箱本体３７の底部は、好ましくは、開閉自在である。すなわち、箱本体１の底部３７は、好ましくは、ヒンジ３９を介して開閉自在に箱本体３７に取り付ける。
【００４６】
前記各可動蓋９には図形、文字又は記号４１を表示する。図１１、図１２参照。
【図面の簡単な説明】
【００４７】
【図１】本発明による分別収納箱の一例を示す斜視図である。
【図２】可動蓋を配設した状態の箱本体を示す平面図である。
【図３】可動蓋を除去した状態の箱本体を示す平面図である。
【図４】可動蓋を移動させている状態を示す平面図である。
【図５】可動蓋を移動させて所望の被収納物が収納されている収納室の可動蓋を該収納室から除去した状態を示す平面図である。
【図６】同上収納室から所望の被収納物を取り出している状態を示す斜視図である。
【図７】図５、図６に示す分別収納箱の断面図である。
【図８】本発明による分別収納箱の別の一例を示す平面図である。
【図９】同上分別収納箱において、可動蓋を除去した状態の箱本体を示す平面図である。
【図１０】同上分別収納箱において、動蓋を移動させて所望の被収納物が収納されている収納室の可動蓋を該収納室から除去した状態を示す断面図である。
【図１１】各可動蓋に図形、文字又は記号を表示した状態を示す平面図である。
【図１２】図形、文字又は記号を表示した可動蓋を示す平面図である。
【図１３】可動蓋を上下反転させている状態を示す正面図である。
【符号の説明】
【００４８】
１  箱本体
３  収納室
５  隔壁
７  開口上端
９  可動蓋
１１  出入り口
１３  押え蓋
１５  ヒンジ
１７  脱落防止手段
１９  被収納物
２１  透孔
２３  突条
２５  係止溝
２７  係止溝
２９  突条
３１  開閉蓋
３３  閉塞体
３５  ヒンジ
３７  底部
３９  ヒンジ
４１  図形、文字又は記号
【図１】
2008173149.tif 000003
【図２】
2008173149.tif 000004
【図３】
2008173149.tif 000005
【図４】
2008173149.tif 000006
【図５】
2008173149.tif 000007
【図６】
2008173149.tif 000008
【図７】
2008173149.tif 000009
【図８】
2008173149.tif 000010
【図９】
2008173149.tif 000011
【図１０】
2008173149.tif 000012
【図１１】
2008173149.tif 000013
【図１２】
2008173149.tif 000014
【図１３】
2008173149.tif 000015